(57)【要約】【課題】本発明は太陽エネルギーに基づくドアや窓の自動繋金装置を開示した。【解決手段】作業台を含み、前記作業台の中に液圧空間が設置され、前記液圧空間の左端壁にスライド空間が設置され、前記スライド空間の右端壁の中に伝動空間が設置され、前記伝動空間の右端壁に第二回転筺体が設置され、前記伝動空間の後端壁の中に第一回転空間が設置され、前記第一回転空間の後端壁の中に第二回転空間が設置され、前記窓枠の左端面に繋金機構が固定に設置され、前記窓枠の上端に押し窓機構が設置され、前記窓枠の右端内部に太陽エネルギー提示機構が設置され、本発明作業中には、この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。【選択図】図1
2020012358.tif 000002
【特許請求の範囲】
【請求項１】
太陽エネルギーに基づくドアや窓の自動繋金装置は、作業台を含み、前記作業台の中に液圧空間が設置され、前記液圧空間の中に仕切り板がスライド接続され、前記仕切り板の左端面に電磁石が固結され、前記仕切り板の右端面に第一押し棒が固結され、前記第一押し棒の右端が液圧空間の右端壁を貫通しかつ外界空間にあり、前記押し棒の右端にＬ型ブロックが固定に設置され、前記液圧空間の上端壁に仕切り板の左右両側の液圧空間を連通する液圧パイプが設置され、前記液圧パイプの中に液圧ポンプが設置され、前記液圧空間の左端壁にスライド空間が設置され、前記仕切り板の左側の液圧空間の中に磁気ブロックが設置され、前記磁気ブロックの左端面にスライドブロックが固結され、前記スライドブロックの左端が液圧空間の左端壁を貫通しかつスライド空間にあり、前記スライドブロックの左端に押しブロックが固結され、前記スライド空間の左端壁の下側に第一回転筺体が設置され、前記第一回転筺体の真ん中にねじ山溝が上下対称で設置され、前記スライド空間の右端壁に伝動筐体が設置され、前記伝動筐体の右端壁に第二回転筺体が設置され、前記伝動筐体の中に回転軸が設置され、前記回転軸の右端が伝動空間の右端壁を貫通しかつ第二回転筐体にあり、前記回転軸の左端が伝動空間を貫通し且つ第一回転筐体の中にあり、前記回転軸の  にねじ山溝と螺合し接続されるねじ山ブロックが固結され、前記押しブロックの左側に回転軸と固結される第一当て板が設置され、前記押しブロックの右側に回転軸と固結される第二当て板が設置され、前記伝動空間の中の回転軸に第一平歯車が固結され、前記第一平歯車の左側に回転軸と固結される第二平歯車が設置され、前記伝動空間の右端壁の上側に駆動電機が植設され、前記駆動電機の左端面に駆動軸が動力で接続され、前記駆動軸の左端面が伝動空間の左端壁と枢結され、前記駆動軸が第二平歯車の上端面と噛合し接続される第三平歯車が固結され、前記第一平歯車の後端に第四平歯車が噛合し接続され、前記第四平歯車の中心に主動軸が固結され、前記主動軸の左右端面がそれぞれ伝動空間の左右端壁と枢結され、前記主動軸の左端に第一かさ歯車が固結され、前記第一かさ歯車の後端に第二かさ歯車が噛合し接続され、前記第二かさ歯車の中心に被動軸が固結され、前記伝動空間の後端壁の中に第一回転空間が設置され、第一回転空間の後端壁の中に第二回転空間が設置され、前記被動軸の後端が第一回転空間を貫通し且つ第二回転空間の中にあり、前記被動軸の後端面が第二回転空間と枢結され、前記第一回転空間の中に被動軸と固結される第一主動かさ歯車が設置され、前記第一主動かさ歯車の右端に第一被動かさ歯車が噛合し接続され、前記第一被動かさ歯車の中心に第一旋転軸が固結され、前記第一旋転軸の右端が第一回転空間の右端壁を貫通し且つ外界空間にあり、前記第一旋転軸の右端に第一カムが固結され、前記第二回転空間の中に被動軸と固結される第二主動かさ歯車が設置され、前記第二主動かさ歯車の右端に第二被動かさ歯車が噛合し接続され、前記第二被動かさ歯車の中心に第二旋転軸が固結され、前記第二旋転軸の右端が第二回転空間を貫通し且つ外界空間にあり、前記第二旋転軸の右端に第二カムが固結され、前記作業台の下端面���サポートブロックが固結され、前記サポートブロックの右端面に窓枠が固結され、前記窓枠の左端面に繋金機構が固結され、前記窓枠の上端に押し窓機構が設置され、前記窓枠の右側内部に太陽エネルギー提示機構が設置され、前記押し窓機構が窓を含み、前記窓枠の中の上側に窓が枢結され、前記窓の中に左端壁が外界空間を連通するスライド空間が設置され、前記スライド空間の中に移動ブロックがスライドし接続され、前記Ｌ型ブロックの右端がスライド空間の左端壁を貫通し且つスライド空間の中にあり、前記移動ブロックの左端面がＬ型ブロックの右端面と固結され、前記繋金機構が梯形ブロックを含み、前記梯形ブロックの下端の前後両端がそれぞれ第一カム及び第二カムと接触し伝動し接続され、前記梯形ブロックの右端面の中心位置に回転軸が枢結され、前記回転軸の右端が窓枠の左端面と固結され、前記梯形ブロックの上端にジャックが固結され、前記ジャックの前端にロックブロックが設置され、前記ロックブロックの右端面が窓の左端面と固結され、前記ロックブロックにロック溝が設置され、前記ロック溝の後端面が外界空間に連通され、前記ジャックの前端がロック溝の後端壁を穿通し且つロック溝にあり、前記第二平歯車が第三平歯車と噛合し接続される間に第一カムと第二カムが半周しか回転しなく、前記窓枠の右側内部に太陽エネルギー提示機構が設置され、前記太陽エネルギー提示機構が警告灯を含み、前記窓枠の左側にロック監視器が設置され、前記窓枠の右側内部に太陽エネルギー電池が植設され、太陽エネルギー電池と警告灯が電線を通じて接続される。
【発明の詳細な説明】
【技術分野】
【０００１】
本発明はスポーツジム分野を取り上げて、具体的には太陽エネルギーに基づくドアや窓の自動繋金である。この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【背景技術】
【０００２】
現在、科学技術の進歩、社会の発展、現段階では自動化の要求が高まり、しかし、既存のドアや窓の自動繋金装置は、大半が自動繋金を実現するしかないので、開閉窓及び繋金の一体化機能を持たない、正確な鍵が閉めと窓が閉めの連動性を実現することが難しく、装置の安定性は高くない。
【先行技術文献】
【特許文献】
【０００３】
【特許文献１】中国特許出願公開第103850559号明細書
【発明の概要】
【発明が解決しようとする課題】
【０００４】
本発明は解決する必要な技術問題が太陽エネルギーに基づくドアや窓の自動繋金装置を提供し、それは上記の現在の技術中の問題を解決できる。
【０００５】
上記の課題を解決するため、本発明は以下の技術プランを採用する：太陽エネルギーに基づくドアや窓の自動繋金装置は、作業台を含み、前記作業台の中に液圧空間が設置され、前記液圧空間の中に仕切り板がスライド接続され、前記仕切り板の左端面に電磁石が固結され、前記仕切り板の右端面に第一押し棒が固結され、前記第一押し棒の右端が液圧空間の右端壁を貫通しかつ外界空間にあり、前記押し棒の右端にＬ型ブロックが固定に設置され、前記液圧空間の上端壁に仕切り板の左右両側の液圧空間を連通する液圧パイプが設置され、前記液圧パイプの中に液圧ポンプが設置され、前記液圧空間の左端壁にスライド空間が設置され、前記仕切り板の左側の液圧空間の中に磁気ブロックが設置され、前記磁気ブロックの左端面にスライドブロックが固結され、前記スライドブロックの左端が液圧空間の左端壁を貫通しかつスライド空間にあり、前記スライドブロックの左端に押しブロックが固結され、前記スライド空間の左端壁の下側に第一回転筺体が設置され、前記第一回転筺体の真ん中にねじ山溝が上下対称で設置され、前記スライド空間の右端壁に伝動筐体が設置され、前記伝動筐体の右端壁に第二回転筺体が設置され、前記伝動筐体の中に回転軸が設置され、前記回転軸の右端が伝動空間の右端壁を貫通しかつ第二回転筐体にあり、前記回転軸の左端が伝動空間を貫通し且つ第一回転筐体の中にあり、前記回転軸の  にねじ山溝と螺合し接続されるねじ山ブロックが固結され、前記押しブロックの左側に回転軸と固結される第一当て板が設置され、前記押しブロックの右側に回転軸と固結される第二当て板が設置され、前記伝動空間の中の回転軸に第一平歯車が固結され、前記第一平歯車の左側に回転軸と固結される第二平歯車が設置され、前記伝動空間の右端壁の上側に駆動電機が植設され、前記駆動電機の左端面に駆動軸が動力で接続され、前記駆動軸の左端面が伝動空間の左端壁と枢結され、前記駆動軸が第二平歯車の上端面と噛合し接続される第三平歯車が固結され、前記第一平歯車の後端に第四平歯車が噛合し接続され、前記第四平歯車の中心に主動軸が固結され、前記主動軸の左右端面がそれぞれ伝動空間の左右端壁と枢結され、前記主動軸の左端に第一かさ歯車が固結され、前記第一かさ歯車の後端に第二かさ歯車が噛合し接続され、前記第二かさ歯車の中心に被動軸が固結され、前記伝動空間の後端壁の中に第一回転空間が設置され、第一回転空間の後端壁の中に第二回転空間が設置され、前記被動軸の後端が第一回転空間を貫通し且つ第二回転空間の中にあり、前記被動軸の後端面が第二回転空間と枢結され、前記第一回転空間の中に被動軸と固結される第一主動かさ歯車が設置され、前記第一主動かさ歯車の右端に第一被動かさ歯車が噛合し接続され、前記第一被動かさ歯車の中心に第一旋転軸が固結され、前記第一旋転軸の右端が第一回転空間の右端壁を貫通し且つ外界空間にあり、前記第一旋転軸の右端に第一カムが固結され、前記第二回転空間の中に被動軸と固結される第二主動かさ歯車が設置され、前記第二主動かさ歯車の右端に第二被動かさ歯車が噛合し接続され、前記第二被動かさ歯車の中心に第二旋転軸が固結され、前記第二旋転軸の右端が第二回転空間を貫通し且つ外界空間にあり���前記第二旋転軸の右端に第二カムが固結され、前記作業台の下端面にサポートブロックが固結され、前記サポートブロックの右端面に窓枠が固結され、前記窓枠の左端面に繋金機構が固結され、前記窓枠の上端に押し窓機構が設置され、前記窓枠の右側内部に太陽エネルギー提示機構が設置される。
【０００６】
更の技術プラントして、前記押し窓機構は窓を含み、前記窓枠の中の上側に窓が枢結され、前記窓の中に左端壁が外界空間を連通するスライド空間が設置され、前記スライド空間の中に移動ブロックがスライドし接続され、前記Ｌ型ブロックの右端がスライド空間の左端壁を貫通し且つスライド空間の中にあり、前記移動ブロックの左端面がＬ型ブロックの右端面と固結される。
【０００７】
更の技術プラントして、前記繋金機構は梯形ブロックを含み、前記梯形ブロックの下端の前後両端がそれぞれ第一カム及び第二カムと接触し伝動し接続され、前記梯形ブロックの右端面の中心位置に回転軸が枢結され、前記回転軸の右端が窓枠の左端面と固結され、前記梯形ブロックの上端にジャックが固結され、前記ジャックの前端にロックブロックが設置され、前記ロックブロックの右端面が窓の左端面と固結され、前記ロックブロックにロック溝が設置され、前記ロック溝の後端面が外界空間に連通され、前記ジャックの前端がロック溝の後端壁を穿通し且つロック溝にある。
【０００８】
更の技術プラントして、前記第二平歯車が第三平歯車と噛合し接続される間に第一カムが第二カムとただ半周を回す。
【０００９】
更の技術プラントして、前記窓枠の右側内部に太陽エネルギー提示機構が設置され、前記太陽エネルギー提示機構が警告灯を含み、前記窓枠の左側にロック監視器が設置され、前記窓枠の右側内部に太陽エネルギー電池が植設され、太陽エネルギー電池と警告灯が電線を通じて接続される。
【発明の効果】
【００１０】
従来技術に比べて、本発明の有益効果は：本発明は作動する中で、窓を閉めるとき、液体ポンプが起動し、圧力によって仕切板が推動されて左へ運動し、仕切り板が第一押し棒を左へ運動連動させ、これにより押し窓機構が窓を駆動して押し窓軸の回りに反時計回りで回転させ、窓が完全に閉じた後、水圧ポンプが閉められ、電磁石が通電して磁力を生じ、磁石と電磁石が嫌悪し合い、したがってスライドブロックを左へ運動連動させ、スライドブロックが押しブロックを左へ運動連動させ、前記第一当て板の作用の下で回転軸を左へ運動連動させ、したがって第二平歯車が第三平歯車と噛み合い、この時に第一平歯車が第四平歯車と噛合し始め、この時にねじ山ブロックとねじ山溝がちょうど噛合、この時に駆動電機が駆動軸を回転連動させ、歯車列の伝動によって回転軸が回転し、回転軸がねじ山ブロックを回転連動させ、ねじ山ブロックがねじ山溝の中に螺入し、それによって回転軸を左へ運動連動させ、ねじ山ブロックがねじ山溝を螺出すると、押しブロックの右端面が第二当てブロックの左端面と接触され、第二平歯車と第三平歯車が噛合接続される状態から離脱し、したがって回転軸の回転が停止し、回転軸の回転が歯車列の伝動を通じて第一カムと第二カムを回転連動させ、回転軸の回転している間に、第一カムと第二カムの回転を通じて梯形ブロックを回転駆動させ、したがってジャックがロックブロックの中のロック溝の中に進入し、この時に窓が固く閉められ、それから駆動電機を閉め、電磁石の電源が切れ、窓を開ける時、電磁石が通電して磁力を生じ、磁石と電磁石が吸引しあい、押しブロックを伝動して右へ運動させることによって、押しブロックが第一当て板を右へ運動連動させ、第二平歯車が第三平歯車と噛合し始め、第一平歯車が第四平歯車と噛合し始め、この時に駆動電機が逆転して駆動軸を回転駆動させ、歯車列の伝動を通じて回転軸を回転駆動させ、回転軸がねじ山ブロックを回転連動させ、ねじ山ブロックがねじ山溝の中から螺出し、したがって回転軸を右へ運動駆動させ、押しブロックの力の作用の下で第二平歯車と第三平歯車が噛合接続される状態から離脱し、それにより回転軸の回転を止め、回転軸の回転が歯車列の伝動を通じて第一カムと第二カムを回転連動させ、回転軸の回転している間に、第一カムと第二カムの回転を通じて梯形ブロックを回転駆動させ、したがってジャックがロックブロックの中のロック溝から離れ、この時に窓の錠が開き、それから駆動電機を切れ、電磁石が電源が切れ、液圧ポンプが起動され、圧力の作用の下で仕切り板を右へ運動駆動させ、仕切り板が第一押し棒を右へ運動駆動させ、したがって、押し窓機構が窓を駆動して押し窓軸の周りを反時計回りで回転させ、窓が完全開いた後、液圧ポンプが閉じ、この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【図面の簡単な説明】
【００１１】
【図１】本発明太陽エネルギーに基づくドアや窓の自動繋金装置整体の正面構造概略図である。
【図２】本発明太陽エネルギーに基づくドアや窓の自動繋金装置作業台の俯瞰拡大構造概略図である。
【図３】本発明太陽エネルギーに基づくドアや窓の自動繋金装置作業ブロックの正面拡大構造概略図である。
【図４】本発明太陽エネルギーに基づくドアや窓の自動繋金装置の繋金機構の左視点拡大構造概略図である。
【発明を実施するための形態】
【００１２】
以下、本発明の実施例に係る図面を記載され、本発明の実施例における技術的な方法を明確かつ完全に記載され、明らかに、記載された実施形態は、本発明の一部の実施形態に過ぎない、すべての実施例ではない。本発明の実施形態によれば、本領域の普通技術者にとって、創造的な労働を払わないことを前提にそのほかの実施例を得ることができり、本発明の保護の範囲に属する。
【００１３】
図１〜４が示すように、本発明の実施例を提供する：太陽エネルギーに基づくドアや窓の自動繋金装置は、作業台２０を含み、前記作業台２０の中に液圧空間１３が設置され、前記液圧空間１３の中に仕切り板１５がスライド接続され、前記仕切り板１５の左端面に電磁石１６が固結され、前記仕切り板１５の右端面に第一押し棒１１が固結され、前記第一押し棒１１の右端が液圧空間１３の右端壁を貫通しかつ外界空間にあり、前記押し棒１１の右端にＬ型ブロック１０が固定に設置され、前記液圧空間１３の上端壁に仕切り板１５の左右両側の液圧空間１３を連通する液圧パイプ１２が設置され、前記液圧パイプ１２の中に液圧ポンプ１４が設置され、前記液圧空間１３の左端壁にスライド空間２２が設置され、前記仕切り板１５の左側の液圧空間１３の中に磁気ブロック１７が設置され、前記磁気ブロック１７の左端面にスライドブロック２１が固結され、前記スライドブロック２１の左端が液圧空間１３の左端壁を貫通しかつスライド空間２２にあり、前記スライドブロック２１の左端に押しブロック１９が固結され、前記スライド空間２２の左端壁の下側に第一回転筺体３８が設置され、前記第一回転筺体３８の真ん中にねじ山溝４０が上下対称で設置され、前記スライド空間２２の右端壁に伝動筐体２７が設置され、前記伝動筐体２７の右端壁に第二回転筺体３２が設置され、前記伝動筐体２７の中に回転軸３０が設置され、前記回転軸３０の右端が伝動空間２７の右端壁を貫通しかつ第二回転筐体３２にあり、前記回転軸３０の左端が伝動空間２７を貫通し且つ第一回転筐体３８の中にあり、前記回転軸３０の左端にねじ山溝４０と螺合し接続されるねじ山ブロック３９が固結され、前記押しブロック１９の左側に回転軸３０と固結される第一当て板２５が設置され、前記押しブロック１９の右側に回転軸３０と固結される第二当て板２６が設置され、前記伝動空間２７の中の回転軸３０に第一平歯車２９が固結され、前記第一平歯車２９の左側に回転軸３０と固結される第二平歯車２８が設置され、前記伝動空間２７の右端壁の上側に駆動電機３４が植設され、前記駆動電機３４の左端面に駆動軸３１が動力で接続され、前記駆動軸３１の左端面が伝動空間２７の左端壁と枢結され、前記駆動軸３１が第二平歯車２８の上端面と噛合し接続される第三平歯車２３が固結され、前記第一平歯車２９の後端に第四平歯車４３が噛合し接続され、前記第四平歯車４３の中心に主動軸４２が固結され、前記主動軸４２の左右端面がそれぞれ伝動空間２７の左右端壁と枢結され、前記主動軸４２の左端に第一かさ歯車６１が固結され、前記第一かさ歯車６１の後端に第二かさ歯車６０が噛合し接続され、前記第二かさ歯車６０の中心に被動軸５９が固結され、前記伝動空間２７の後端壁の中に第一回転空間５６が設置され、第一回転空間５６の後端壁の中に第二回転空間４９が設置され、前記被動軸５９の後端が第一回転空間５６を貫通し且つ第二回転空間４９の中にあり、前記被動軸５９の後端面が第二回転空間４９と枢結され、前記第一回転空間５６の中に被動軸５９と固結される第一主動かさ歯車５０が設置され、前記第一主動かさ歯車５０の右端に第一被動かさ歯車４４が噛合し接続され、前記第一被動かさ歯車４４の中心に第一旋転軸３６が固結され、前記第一旋転軸３６の右端が第一回転空間５６の右端壁を貫通し且つ外界空間にあり、前記第一旋転軸３６の右端に第一カム３７が固結され、前記第二回転空間４９の中に被動軸４３と固結される第二主動かさ歯車４８が設置され、前記第二主動かさ歯車４８の右端に第二被動かさ歯車４７が噛合し接続され、前記第二被動かさ歯車４７の中心に第二旋転軸４５が固結され、前記第二旋転軸４５の右端が第二回転空間４９を貫通し且つ外界空間にあり、前記第二旋転軸４５の右端に第二カム４６が固結され、前記作業台２０の下端面にサポートブロック３５が固結され、前記サポートブロック３５の右端面に窓枠１が固結され、前記窓枠1の左端面に繋金機構２４が固結され、前記窓枠１の上端に押し窓機構１８が設置され、前記窓枠１の右側内部に太陽エネルギー提示機構６８が設置される。
【００１４】
有益的には、前記押し窓機構１８は窓７を含み、前記窓枠１の中の上側に窓７が枢結され、前記窓７の中に左端壁が外界空間を連通するスライド空間５が設置され、前記スライド空間５の中に移動ブロック６がスライドし接続され、前記Ｌ型ブロック１０の右端がスライド空間５の左端壁を貫通し且つスライド空間５の中にあり、前記移動ブロック６の左端面がＬ型ブロック１０の右端面と固結され、その役割はＬ型ブロック１０の左右運動を推動することによって、窓７の開閉を実現することである。
【００１５】
有益的には、前記繋金機構２４は梯形ブロック２を含み、前記梯形ブロック２の下端の前後両端がそれぞれ第一カム３７及び第二カム４６と接触し伝動し接続され、前記梯形ブロック２の右端面の中心位置に回転軸３６が枢結され、前記回転軸３６の右端が窓枠１の左端面と固結され、前記梯形ブロック２の上端にジャック４１が固結され、前記ジャック４１の前端にロックブロック４が設置され、前記ロックブロック４の右端面が窓７の左端面と固結され、前記ロックブロック４にロック溝３が設置され、前記ロック溝３の後端面が外界空間に連通され、前記ジャック４１の前端がロック溝４の後端壁を穿通し且つロック溝３にあり、その役割は第一カム３７と第二カム４６の回転によって、ジャック４１の前後移動を駆動させ、これにより窓７をきつくロックする。
【００１６】
有益的には、前記第二平歯車２８が第三平歯車２３と噛合し接続される間に第一カム３７と第二カム４６が半周しか回転しなく、その役割は繋金機構２４が正しくオンとオフされることを確保する。
【００１７】
有益的には、前記窓枠１の右側内部に太陽エネルギー提示機構６８が設置され、前記太陽エネルギー提示機構６８が警告灯６７を含み、前記窓枠１の左側にロック監視器６４が設置され、前記窓枠１の右側内部に太陽エネルギー電池６５が植設され、太陽エネルギー電池６５と警告灯６６が電線６７を通じて接続され、その役割は固くロックされてない時に、太陽エネルギーで警告灯６６に警報提示を発信させることを監視する。
【００１８】
具体的な使い方：本発明は作動する中で、窓を閉めるとき、液体ポンプ１４が起動し、圧力によって仕切板１５が推動されて左へ運動し、仕切り板１５が第一押し棒１１を左へ運動連動させ、これにより押し窓機構１８が窓７を駆動して押し窓軸８の回りに反時計回りで回転させ、窓７が完全に閉じた後、水圧ポンプ１４が閉められ、電磁石１６が通電して磁力を生じ、磁石１７と電磁石１６が嫌悪し合い、したがってスライドブロック２１を左へ運動連動させ、スライドブロック２１が押しブロック１９を左へ運動連動させ、前記第一当て板２５の作用の下で回転軸３０を左へ運動連動させ、したがって第二平歯車２８が第三平歯車２３と噛み合い、この時に第一平歯車２９が第四平歯車４３と噛合し始め、この時にねじ山ブロック３９とねじ山溝４０がちょうど噛合、この時に駆動電機３４が駆動軸３１を回転連動させ、歯車列の伝動によって回転軸３０が回転し、回転軸３０がねじ山ブロック３９を回転連動させ、ねじ山ブロック３９がねじ山溝４０の中に螺入し、それによって回転軸３０を左へ運動連動させ、ねじ山ブロック３９がねじ山溝４０を螺出すると、押しブロック１９の右端面が第二当てブロック２６の左端面と接触され、第二平歯車２８と第三平歯車２３が噛合接続される状態から離脱し、それにより回転軸３０の回転を停止し、回転軸３０の回転が歯車列の伝動を通じて第一カム３７と第二カム４６を回転連動させ、回転軸３０の回転している間に、第一カム３７と第二カム４６の回転を通じて梯形ブロック２を回転駆動させ、したがってジャック４１がロックブロック４の中のロック溝３の中に進入し、この時に窓が固く閉められ、それから駆動電機３４を閉め、電磁石１６の電源が切れ、窓を開ける時、電磁石１６が通電して磁力を生じ、磁石１７と電磁石１６が吸引しあい、押しブロック１９を伝動して右へ運動させることによって、押しブロック１９が第一当て板２５を右へ運動連動させ、第二平歯車２８が第三平歯車２３と噛合し始め、第一平歯車２９が第四平歯車４３と噛合し始め、この時に駆動電機３４が逆転して駆動軸３１を回転駆動させ、歯車列の伝動を通じて回転軸３０を回転駆動させ、回転軸３０がねじ山ブロック３９を回転連動させ、ねじ山ブロック３９がねじ山溝４０の中から螺出し、したがって回転軸３０を右へ運動駆動させ、押しブロック１９の力の作用の下で第二平歯車２８と第三平歯車２３が噛合接続される状態から離脱し、それにより回転軸３０の回転を止め、回転軸３０の回転が歯車列の伝動を通じて第一カム３７と第二カム４６を回転連動させ、回転軸３０の回転している間に、第一カム３７と第二カム４６の回転を通じて梯形ブロック２を回転駆動させ、したがってジャック４１がロックブロック４の中のロック溝３から離れ、この時に窓の錠が開き、それから駆動電機３４を切れ、電磁石１６が電源が切れ、液圧ポンプ１４が起動され、圧力の作用の下で仕切り板１５を右へ運動駆動させ、仕切り板１５が第一押し棒１１を右へ運動駆動させ、したがって、押し窓機構１８が窓７を駆動して押し窓軸８の周りを反時計回りで回転させ、窓７が完全開いた後、液圧ポンプ１４が閉じ、この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【００１９】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。
【図１】
2020012358.tif 000003
【図２】
2020012358.tif 000004
【図３】
2020012358.tif 000005
【図４】
2020012358.tif 000006
【手続補正書】
【提出日】平成31年1月26日(2019.1.26)
【手続補正１】
【補正対象書類名】特許請求の範囲
【補正対象項目名】全文
【補正方法】変更
【補正の内容】
【特許請求の範囲】
【請求項１】
作業台を含み、前記作業台の中に液圧空間が設置され、前記液圧空間の中に仕切り板がスライド接続され、前記仕切り板の左端面に電磁石が固結され、前記仕切り板の右端面に第一押し棒が固結され、前記第一押し棒の右端が液圧空間の右端壁を貫通しかつ外界空間にあり、前記押し棒の右端にＬ型ブロックが固定に設置され、前記液圧空間の上端壁に仕切り板の左右両側の液圧空間を連通する液圧パイプが設置され、前記液圧パイプの中に液圧ポンプが設置され、前記液圧空間の左端壁にスライド空間が設置され、前記仕切り板の左側の液圧空間の中に磁気ブロックが設置され、前記磁気ブロックの左端面にスライドブロックが固結され、前記スライドブロックの左端が液圧空間の左端壁を貫通しかつスライド空間にあり、前記スライドブロックの左端に押しブロックが固結され、前記スライド空間の左端壁の下側に第一回転筺体が設置され、前記第一回転筺体の真ん中にねじ山溝が上下対称で設置され、前記スライド空間の右端壁に伝動筐体が設置され、前記伝動筐体の右端壁に第二回転筺体が設置され、前記伝動筐体の中に回転軸が設置され、前記回転軸の右端が伝動空間の右端壁を貫通しかつ第二回転筐体にあり、前記回転軸の左端が伝動空間を貫通し且つ第一回転筐体の中にあり、前記回転軸の左端にねじ山溝と螺合し接続されるねじ山ブロックが固結され、前記押しブロックの左側に回転軸と固結される第一当て板が設置され、前記押しブロックの右側に回転軸と固結される第二当て板が設置され、前記伝動空間の中の回転軸に第一平歯車が固結され、前記第一平歯車の左側に回転軸と固結される第二平歯車が設置され、前記伝動空間の右端壁の上側に駆動電機が植設され、前記駆動電機の左端面に駆動軸が動力で接続され、前記駆動軸の左端面が伝動空間の左端壁と枢結され、前記駆動軸が第二平歯車の上端面と噛合し接続される第三平歯車が固結され、前記第一平歯車の後端に第四平歯車が噛合し接続され、前記第四平歯車の中心に主動軸が固結され、前記主動軸の左右端面がそれぞれ伝動空間の左右端壁と枢結され、前記主動軸の左端に第一かさ歯車が固結され、前記第一かさ歯車の後端に第二かさ歯車が噛合し接続され、前記第二かさ歯車の中心に被動軸が固結され、前記伝動空間の後端壁の中に第一回転空間が設置され、第一回転空間の後端壁の中に第二回転空間が設置され、前記被動軸の後端が第一回転空間を貫通し且つ第二回転空間の中にあり、前記被動軸の後端面が第二回転空間と枢結され、前記第一回転空間の中に被動軸と固結される第一主動かさ歯車が設置され、前記第一主動かさ歯車の右端に第一被動かさ歯車が噛合し接続され、前記第一被動かさ歯車の中心に第一旋転軸が固結され、前記第一旋転軸の右端が第一回転空間の右端壁を貫通し且つ外界空間にあり、前記第一旋転軸の右端に第一カムが固結され、前記第二回転空間の中に被動軸と固結される第二主動かさ歯車が設置され、前記第二主動かさ歯車の右端に第二被動かさ歯車が噛合し接続され、前記第二被動かさ歯車の中心に第二旋転軸が固結され、前記第二旋転軸の右端が第二回転空間を貫通し且つ外界空間にあり、前記第二旋転軸の右端に第二カムが固結され、前記作業台の下端面にサポートブロックが固結され、前記サポートブロックの右端面に窓枠が固結され、前記窓枠の左端面に繋金機構が固結され、前記窓枠の上端に押し窓機構が設置され、前記窓枠の右側内部に太陽エネルギー提示機構が設置され、前記押し窓機構が窓を含み、前記窓枠の中の上側に窓が枢結され、前記窓の中に左端壁が外界空間を連通する活動空間が設置され、前記活動空間の中に移動ブロックがスライドし接続され、前記Ｌ型ブロックの右端が前記活動空間の左端壁を貫通し且つ前記活動空間の中にあり、前記移動ブロックの左端面がＬ型ブロックの右端面と固結され、前記繋金機構が梯形ブロックを含み、前記梯形ブロックの下端の前後両端がそれぞれ第一カム及び第二カムと接触し伝動し接続され、前記梯形ブロックの右端面の中心位置に回転軸が枢結され、前記回転軸の右端が窓枠の左端面と固結され、前記梯形ブロックの上端にジャックが固結され、前記ジャックの前端にロックブロックが設置され、前記ロックブロックの右端面が窓の左端面と固結され、前記ロックブロックにロック溝が設置され、前記ロック溝の後端面が外界空間に連通され、前記ジャックの前端がロック溝の後端壁を穿通し且つロック溝にあり、前記第二平歯車が第三平歯車と噛合し接続される間に第一カムと第二カムが半周しか回転しなく、前記窓枠の右側内部に太陽エネルギー提示機構が設置され、前記太陽エネルギー提示機構が警告灯を含み、前記窓枠の左側にロック監視器が設置され、前記窓枠の右側内部に太陽エネルギー電池が植設され、太陽エネルギー電池と警告灯が電線を通じて接続されることを特徴とする太陽エネルギーに基づくドアや窓の自動繋金装置。
【手続補正２】
【補正対象書類名】明細書
【補正対象項目名】全文
【補正方法】変更
【補正の内容】
【発明の詳細な説明】
【技術分野】
【０００１】
本発明はスポーツジム分野を取り上げて、具体的には太陽エネルギーに基づくドアや窓の自動繋金である。この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【背景技術】
【０００２】
現在、科学技術の進歩、社会の発展、現段階では自動化の要求が高まり、しかし、既存のドアや窓の自動繋金装置は、大半が自動繋金を実現するしかないので、開閉窓及び繋金の一体化機能を持たない、正確な鍵が閉めと窓が閉めの連動性を実現することが難しく、装置の安定性は高くない。
【先行技術文献】
【特許文献】
【０００３】
【特許文献１】中国特許出願公開第103850559号明細書
【発明の概要】
【発明が解決しようとする課題】
【０００４】
本発明は解決する必要な技術問題が太陽エネルギーに基づくドアや窓の自動繋金装置を提供し、それは上記の現在の技術中の問題を解決できる。
【０００５】
上記の課題を解決するため、本発明は以下の技術プランを採用する：太陽エネルギーに基づくドアや窓の自動繋金装置は、作業台を含み、前記作業台の中に液圧空間が設置され、前記液圧空間の中に仕切り板がスライド接続され、前記仕切り板の左端面に電磁石が固結され、前記仕切り板の右端面に第一押し棒が固結され、前記第一押し棒の右端が液圧空間の右端壁を貫通しかつ外界空間にあり、前記押し棒の右端にＬ型ブロックが固定に設置され、前記液圧空間の上端壁に仕切り板の左右両側の液圧空間を連通する液圧パイプが設置され、前記液圧パイプの中に液圧ポンプが設置され、前記液圧空間の左端壁にスライド空間が設置され、前記仕切り板の左側の液圧空間の中に磁気ブロックが設置され、前記磁気ブロックの左端面にスライドブロックが固結され、前記スライドブロックの左端が液圧空間の左端壁を貫通しかつスライド空間にあり、前記スライドブロックの左端に押しブロックが固結され、前記スライド空間の左端壁の下側に第一回転筺体が設置され、前記第一回転筺体の真ん中にねじ山溝が上下対称で設置され、前記スライド空間の右端壁に伝動筐体が設置され、前記伝動筐体の右端壁に第二回転筺体が設置され、前記伝動筐体の中に回転軸が設置され、前記回転軸の右端が伝動空間の右端壁を貫通しかつ第二回転筐体にあり、前記回転軸の左端が伝動空間を貫通し且つ第一回転筐体の中にあり、前記回転軸の左端にねじ山溝と螺合し接続されるねじ山ブロックが固結され、前記押しブロックの左側に回転軸と固結される第一当て板が設置され、前記押しブロックの右側に回転軸と固結される第二当て板が設置され、前記伝動空間の中の回転軸に第一平歯車が固結され、前記第一平歯車の左側に回転軸と固結される第二平歯車が設置され、前記伝動空間の右端壁の上側に駆動電機が植設され、前記駆動電機の左端面に駆動軸が動力で接続され、前記駆動軸の左端面が伝動空間の左端壁と枢結され、前記駆動軸が第二平歯車の上端面と噛合し接続される第三平歯車が固結され、前記第一平歯車の後端に第四平歯車が噛合し接続され、前記第四平歯車の中心に主動軸が固結され、前記主動軸の左右端面がそれぞれ伝動空間の左右端壁と枢結され、前記主動軸の左端に第一かさ歯車が固結され、前記第一かさ歯車の後端に第二かさ歯車が噛合し接続され、前記第二かさ歯車の中心に被動軸が固結され、前記伝動空間の後端壁の中に第一回転空間が設置され、第一回転空間の後端壁の中に第二回転空間が設置され、前記被動軸の後端が第一回転空間を貫通し且つ第二回転空間の中にあり、前記被動軸の後端面が第二回転空間と枢結され、前記第一回転空間の中に被動軸と固結される第一主動かさ歯車が設置され、前記第一主動かさ歯車の右端に第一被動かさ歯車が噛合し接続され、前記第一被動かさ歯車の中心に第一旋転軸が固結され、前記第一旋転軸の右端が第一回転空間の右端壁を貫通し且つ外界空間にあり、前記第一旋転軸の右端に第一カムが固結され、前記第二回転空間の中に被動軸と固結される第二主動かさ歯車が設置され、前記第二主動かさ歯車の右端に第二被動かさ歯車が噛合し接続され、前記第二被動かさ歯車の中心に第二旋転軸が固結され、前記第二旋転軸の右端が第二回転空間を貫通し且つ外界空間にあり、前記第二旋転軸の右端に第二カムが固結され、前記作業台の下端面にサポートブロックが固結され、前記サポートブロックの右端面に窓枠が固結され、前記窓枠の左端面に繋金機構が固結され、前記窓枠の上端に押し窓機構が設置され、前記窓枠の右側内部に太陽エネルギー提示機構が設置される。
【０００６】
更の技術プラントして、前記押し窓機構は窓を含み、前記窓枠の中の上側に窓が枢結され、前記窓の中に左端壁が外界空間を連通する活動空間が設置され、前記活動空間の中に移動ブロックがスライドし接続され、前記Ｌ型ブロックの右端が前記活動空間の左端壁を貫通し且つ前記活動空間の中にあり、前記移動ブロックの左端面がＬ型ブロックの右端面と固結される。
【０００７】
更の技術プラントして、前記繋金機構は梯形ブロックを含み、前記梯形ブロックの下端の前後両端がそれぞれ第一カム及び第二カムと接触し伝動し接続され、前記梯形ブロックの右端面の中心位置に回転軸が枢結され、前記回転軸の右端が窓枠の左端面と固結され、前記梯形ブロックの上端にジャックが固結され、前記ジャックの前端にロックブロックが設置され、前記ロックブロックの右端面が窓の左端面と固結され、前記ロックブロックにロック溝が設置され、前記ロック溝の後端面が外界空間に連通され、前記ジャックの前端がロック溝の後端壁を穿通し且つロック溝にある。
【０００８】
更の技術プラントして、前記第二平歯車が第三平歯車と噛合し接続される間に第一カムが第二カムとただ半周を回す。
【０００９】
更の技術プラントして、前記窓枠の右側内部に太陽エネルギー提示機構が設置され、前記太陽エネルギー提示機構が警告灯を含み、前記窓枠の左側にロック監視器が設置され、前記窓枠の右側内部に太陽エネルギー電池が植設され、太陽エネルギー電池と警告灯が電線を通じて接続される。
【発明の効果】
【００１０】
従来技術に比べて、本発明の有益効果は：本発明は作動する中で、窓を閉めるとき、液体ポンプが起動し、圧力によって仕切板が推動されて左へ運動し、仕切り板が第一押し棒を左へ運動連動させ、これにより押し窓機構が窓を駆動して押し窓軸の回りに反時計回りで回転させ、窓が完全に閉じた後、水圧ポンプが閉められ、電磁石が通電して磁力を生じ、磁石と電磁石が嫌悪し合い、したがってスライドブロックを左へ運動連動させ、スライドブロックが押しブロックを左へ運動連動させ、前記第一当て板の作用の下で回転軸を左へ運動連動させ、したがって第二平歯車が第三平歯車と噛み合い、この時に第一平歯車が第四平歯車と噛合し始め、この時にねじ山ブロックとねじ山溝がちょうど噛合、この時に駆動電機が駆動軸を回転連動させ、歯車列の伝動によって回転軸が回転し、回転軸がねじ山ブロックを回転連動させ、ねじ山ブロックがねじ山溝の中に螺入し、それによって回転軸を左へ運動連動させ、ねじ山ブロックがねじ山溝を螺出すると、押しブロックの右端面が第二当てブロックの左端面と接触され、第二平歯車と第三平歯車が噛合接続される状態から離脱し、したがって回転軸の回転が停止し、回転軸の回転が歯車列の伝動を通じて第一カムと第二カムを回転連動させ、回転軸の回転している間に、第一カムと第二カムの回転を通じて梯形ブロックを回転駆動させ、したがってジャックがロックブロックの中のロック溝の中に進入し、この時に窓が固く閉められ、それから駆動電機を閉め、電磁石の電源が切れ、窓を開ける時、電磁石が通電して磁力を生じ、磁石と電磁石が吸引しあい、押しブロックを伝動して右へ運動させることによって、押しブロックが第一当て板を右へ運動連動させ、第二平歯車が第三平歯車と噛合し始め、第一平歯車が第四平歯車と噛合し始め、この時に駆動電機が逆転して駆動軸を回転駆動させ、歯車列の伝動を通じて回転軸を回転駆動させ、回転軸がねじ山ブロックを回転連動させ、ねじ山ブロックがねじ山溝の中から螺出し、したがって回転軸を右へ運動駆動させ、押しブロックの力の作用の下で第二平歯車と第三平歯車が噛合接続される状態から離脱し、それにより回転軸の回転を止め、回転軸の回転が歯車列の伝動を通じて第一カムと第二カムを回転連動させ、回転軸の回転している間に、第一カムと第二カムの回転を通じて梯形ブロックを回転駆動させ、したがってジャックがロックブロックの中のロック溝から離れ、この時に窓の錠が開き、それから駆動電機を切れ、電磁石が電源が切れ、液圧ポンプが起動され、圧力の作用の下で仕切り板を右へ運動駆動させ、仕切り板が第一押し棒を右へ運動駆動させ、したがって、押し窓機構が窓を駆動して押し窓軸の周りを反時計回りで回転させ、窓が完全開いた後、液圧ポンプが閉じ、この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【図面の簡単な説明】
【００１１】
【図１】本発明太陽エネルギーに基づくドアや窓の自動繋金装置整体の正面構造概略図である。
【図２】本発明太陽エネルギーに基づくドアや窓の自動繋金装置作業台の俯瞰拡大構造概略図である。
【図３】本発明太陽エネルギーに基づくドアや窓の自動繋金装置作業ブロックの正面拡大構造概略図である。
【図４】本発明太陽エネルギーに基づくドアや窓の自動繋金装置の繋金機構の左視点拡大構造概略図である。
【発明を実施するための形態】
【００１２】
以下、本発明の実施例に係る図面を記載され、本発明の実施例における技術的な方法を明確かつ完全に記載され、明らかに、記載された実施形態は、本発明の一部の実施形態に過ぎない、すべての実施例ではない。本発明の実施形態によれば、本領域の普通技術者にとって、創造的な労働を払わないことを前提にそのほかの実施例を得ることができり、本発明の保護の範囲に属する。
【００１３】
図１〜４が示すように、本発明の実施例を提供する：太陽エネルギーに基づくドアや窓の自動繋金装置は、作業台２０を含み、前記作業台２０の中に液圧空間１３が設置され、前記液圧空間１３の中に仕切り板１５がスライド接続され、前記仕切り板１５の左端面に電磁石１６が固結され、前記仕切り板１５の右端面に第一押し棒１１が固結され、前記第一押し棒１１の右端が液圧空間１３の右端壁を貫通しかつ外界空間にあり、前記押し棒１１の右端にＬ型ブロック１０が固定に設置され、前記液圧空間１３の上端壁に仕切り板１５の左右両側の液圧空間１３を連通する液圧パイプ１２が設置され、前記液圧パイプ１２の中に液圧ポンプ１４が設置され、前記液圧空間１３の左端壁にスライド空間２２が設置され、前記仕切り板１５の左側の液圧空間１３の中に磁気ブロック１７が設置され、前記磁気ブロック１７の左端面にスライドブロック２１が固結され、前記スライドブロック２１の左端が液圧空間１３の左端壁を貫通しかつスライド空間２２にあり、前記スライドブロック２１の左端に押しブロック１９が固結され、前記スライド空間２２の左端壁の下側に第一回転筺体３８が設置され、前記第一回転筺体３８の真ん中にねじ山溝４０が上下対称で設置され、前記スライド空間２２の右端壁に伝動筐体２７が設置され、前記伝動筐体２７の右端壁に第二回転筺体３２が設置され、前記伝動筐体２７の中に回転軸３０が設置され、前記回転軸３０の右端が伝動空間２７の右端壁を貫通しかつ第二回転筐体３２にあり、前記回転軸３０の左端が伝動空間２７を貫通し且つ第一回転筐体３８の中にあり、前記回転軸３０の左端にねじ山溝４０と螺合し接続されるねじ山ブロック３９が固結され、前記押しブロック１９の左側に回転軸３０と固結される第一当て板２５が設置され、前記押しブロック１９の右側に回転軸３０と固結される第二当て板２６が設置され、前記伝動空間２７の中の回転軸３０に第一平歯車２９が固結され、前記第一平歯車２９の左側に回転軸３０と固結される第二平歯車２８が設置され、前記伝動空間２７の右端壁の上側に駆動電機３４が植設され、前記駆動電機３４の左端面に駆動軸３１が動力で接続され、前記駆動軸３１の左端面が伝動空間２７の左端壁と枢結され、前記駆動軸３１が第二平歯車２８の上端面と噛合し接続される第三平歯車２３が固結され、前記第一平歯車２９の後端に第四平歯車４３が噛合し接続され、前記第四平歯車４３の中心に主動軸４２が固結され、前記主動軸４２の左右端面がそれぞれ伝動空間２７の左右端壁と枢結され、前記主動軸４２の左端に第一かさ歯車６１が固結され、前記第一かさ歯車６１の後端に第二かさ歯車６０が噛合し接続され、前記第二かさ歯車６０の中心に被動軸５９が固結され、前記伝動空間２７の後端壁の中に第一回転空間５６が設置され、第一回転空間５６の後端壁の中に第二回転空間４９が設置され、前記被動軸５９の後端が第一回転空間５６を貫通し且つ第二回転空間４９の中にあり、前記被動軸５９の後端面が第二回転空間４９と枢結され、前記第一回転空間５６の中に被動軸５９と固結される第一主動かさ歯車５０が設置され、前記第一主動かさ歯車５０の右端に第一被動かさ歯車４４が噛合し接続され、前記第一被動かさ歯車４４の中心に第一旋転軸３６が固結され、前記第一旋転軸３６の右端が第一回転空間５６の右端壁を貫通し且つ外界空間にあり、前記第一旋転軸３６の右端に第一カム３７が固結され、前記第二回転空間４９の中に被動軸４３と固結される第二主動かさ歯車４８が設置され、前記第二主動かさ歯車４８の右端に第二被動かさ歯車４７が噛合し接続され、前記第二被動かさ歯車４７の中心に第二旋転軸４５が固結され、前記第二旋転軸４５の右端が第二回転空間４９を貫通し且つ外界空間にあり、前記第二旋転軸４５の右端に第二カム４６が固結され、前記作業台２０の下端面にサポートブロック３５が固結され、前記サポートブロック３５の右端面に窓枠１が固結され、前記窓枠1の左端面に繋金機構２４が固結され、前記窓枠１の上端に押し窓機構１８が設置され、前記窓枠１の右側内部に太陽エネルギー提示機構６８が設置される。
【００１４】
有益的には、前記押し窓機構１８は窓７を含み、前記窓枠１の中の上側に窓７が枢結され、前記窓７の中に左端壁が外界空間を連通する活動空間５が設置され、前記活動空間５の中に移動ブロック６がスライドし接続され、前記Ｌ型ブロック１０の右端が前記活動空間５の左端壁を貫通し且つ前記活動空間５の中にあり、前記移動ブロック６の左端面がＬ型ブロック１０の右端面と固結され、その役割はＬ型ブロック１０の左右運動を推動することによって、窓７の開閉を実現することである。
【００１５】
有益的には、前記繋金機構２４は梯形ブロック２を含み、前記梯形ブロック２の下端の前後両端がそれぞれ第一カム３７及び第二カム４６と接触し伝動し接続され、前記梯形ブロック２の右端面の中心位置に回転軸３６が枢結され、前記回転軸３６の右端が窓枠１の左端面と固結され、前記梯形ブロック２の上端にジャック４１が固結され、前記ジャック４１の前端にロックブロック４が設置され、前記ロックブロック４の右端面が窓７の左端面と固結され、前記ロックブロック４にロック溝３が設置され、前記ロック溝３の後端面が外界空間に連通され、前記ジャック４１の前端がロック溝４の後端壁を穿通し且つロック溝３にあり、その役割は第一カム３７と第二カム４６の回転によって、ジャック４１の前後移動を駆動させ、これにより窓７をきつくロックする。
【００１６】
有益的には、前記第二平歯車２８が第三平歯車２３と噛合し接続される間に第一カム３７と第二カム４６が半周しか回転しなく、その役割は繋金機構２４が正しくオンとオフされることを確保する。
【００１７】
有益的には、前記窓枠１の右側内部に太陽エネルギー提示機構６８が設置され、前記太陽エネルギー提示機構６８が警告灯６７を含み、前記窓枠１の左側にロック監視器６４が設置され、前記窓枠１の右側内部に太陽エネルギー電池６５が植設され、太陽エネルギー電池６５と警告灯６６が電線６７を通じて接続され、その役割は固くロックされてない時に、太陽エネルギーで警告灯６６に警報提示を発信させることを監視する。
【００１８】
具体的な使い方：本発明は作動する中で、窓を閉めるとき、液体ポンプ１４が起動し、圧力によって仕切板１５が推動されて左へ運動し、仕切り板１５が第一押し棒１１を左へ運動連動させ、これにより押し窓機構１８が窓７を駆動して押し窓軸８の回りに反時計回りで回転させ、窓７が完全に閉じた後、水圧ポンプ１４が閉められ、電磁石１６が通電して磁力を生じ、磁石１７と電磁石１６が嫌悪し合い、したがってスライドブロック２１を左へ運動連動させ、スライドブロック２１が押しブロック１９を左へ運動連動させ、前記第一当て板２５の作用の下で回転軸３０を左へ運動連動させ、したがって第二平歯車２８が第三平歯車２３と噛み合い、この時に第一平歯車２９が第四平歯車４３と噛合し始め、この時にねじ山ブロック３９とねじ山溝４０がちょうど噛合、この時に駆動電機３４が駆動軸３１を回転連動させ、歯車列の伝動によって回転軸３０が回転し、回転軸３０がねじ山ブロック３９を回転連動させ、ねじ山ブロック３９がねじ山溝４０の中に螺入し、それによって回転軸３０を左へ運動連動させ、ねじ山ブロック３９がねじ山溝４０を螺出すると、押しブロック１９の右端面が第二当てブロック２６の左端面と接触され、第二平歯車２８と第三平歯車２３が噛合接続される状態から離脱し、それにより回転軸３０の回転を停止し、回転軸３０の回転が歯車列の伝動を通じて第一カム３７と第二カム４６を回転連動させ、回転軸３０の回転している間に、第一カム３７と第二カム４６の回転を通じて梯形ブロック２を回転駆動させ、したがってジャック４１がロックブロック４の中のロック溝３の中に進入し、この時に窓が固く閉められ、それから駆動電機３４を閉め、電磁石１６の電源が切れ、窓を開ける時、電磁石１６が通電して磁力を生じ、磁石１７と電磁石１６が吸引しあい、押しブロック１９を伝動して右へ運動させることによって、押しブロック１９が第一当て板２５を右へ運動連動させ、第二平歯車２８が第三平歯車２３と噛合し始め、第一平歯車２９が第四平歯車４３と噛合し始め、この時に駆動電機３４が逆転して駆動軸３１を回転駆動させ、歯車列の伝動を通じて回転軸３０を回転駆動させ、回転軸３０がねじ山ブロック３９を回転連動させ、ねじ山ブロック３９がねじ山溝４０の中から螺出し、したがって回転軸３０を右へ運動駆動させ、押しブロック１９の力の作用の下で第二平歯車２８と第三平歯車２３が噛合接続される状態から離脱し、それにより回転軸３０の回転を止め、回転軸３０の回転が歯車列の伝動を通じて第一カム３７と第二カム４６を回転連動させ、回転軸３０の回転している間に、第一カム３７と第二カム４６の回転を通じて梯形ブロック２を回転駆動させ、したがってジャック４１がロックブロック４の中のロック溝３から離れ、この時に窓の錠が開き、それから駆動電機３４を切れ、電磁石１６が電源が切れ、液圧ポンプ１４が起動され、圧力の作用の下で仕切り板１５を右へ運動駆動させ、仕切り板１５が第一押し棒１１を右へ運動駆動させ、したがって、押し窓機構１８が窓７を駆動して押し窓軸８の周りを反時計回りで回転させ、窓７が完全開いた後、液圧ポンプ１４が閉じ、この装置は構造が簡単で、操作が便利、窓と錠の自動的な開閉を同時に実現し、ロックとアンロックが完成した後、ロックとアンロックの繰り返しを避け、きちんとロックとアンロックを実現し、装置の安定性を高める。
【００１９】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。